(57)【要約】      （修正有）【課題】導電性の異物を検出することができる電子伝送モジュールを提供する。【解決手段】電子伝送モジュール１００は、ベース１１０と、検出素子１８０と、カバー板１７０とを備える。ベース１１０は収容溝１１０ｒ１、１１０ｒ２を有する。検出素子１８０はベース１１０の収容溝１１０ｒ１、１１０ｒ２内に設けられる。カバー板１７０は収容溝１１０ｒ１、１１０ｒ２を閉塞又は露出させる。検出素子１８０は、基板と、基板に形成された第１の電極及び第２の電極とを有しており、第１の電極と第２の電極との間には電位差がある。第１の電極の少なくとも一部及び／又は第２の電極の少なくとも一部が隣り合って配置されるとともに、基板の上面に位置するか、又は基板の上面から露出している限り、電子伝送モジュール１００に入り込んだ導電性の異物を検出することができる。【選択図】図１Ａ
0003200574.tif 000002
【実用新案登録請求の範囲】
【請求項１】
収容溝を有するベースと、
前記収容溝内に設けられ、基板と、該基板に形成された第１の電極及び第２の電極とを有する検出素子であって、該第１の電極と該第２の電極との間には電位差がある、検出素子と、
収容溝を閉塞又は露出させるカバー板と、
を備えることを特徴とする、電子伝送モジュール。
【請求項２】
ベースと、
回路板と、
前記ベースに設けられるとともに前記回路板に電気的に接続され、基板と、該基板に形成された第１の電極及び第２の電極とを有する検出素子であって、該第１の電極と該第２の電極との間には電位差がある、検出素子と、
を備えることを特徴とする、電子伝送モジュール。
【請求項３】
前記第１の電極と前記第２の電極とは、極性が互いに異なることを特徴とする、請求項１又は２に記載の電子伝送モジュール。
【請求項４】
前記検出素子は、放射状に配列された複数の前記第１の電極を有しており、前記第２の電極は、該第１の電極を取り囲んでいることを特徴とする、請求項１から３のいずれかに記載の電子伝送モジュール。
【請求項５】
前記第１の電極及び前記第２の電極の少なくとも一方は、環状の電極であることを特徴とする、請求項１から３のいずれかに記載の電子伝送モジュール。
【請求項６】
前記第１の電極は、複数の第１の分岐電極を有し、前記第２の電極は、複数の第２の分岐電極を有しており、該第１の分岐電極と該第２の分岐電極とは、互い違いに設けられていることを特徴とする、請求項１から３のいずれかに記載の電子伝送モジュール。
【請求項７】
前記第１の分岐電極と前記第２の分岐電極とは、同心状に延伸するように配置されていることを特徴とする、請求項６に記載の電子伝送モジュール。
【請求項８】
請求項１〜７のいずれか１項に記載の電子伝送モジュールと、
前記電位差のシフト量に基づいて制御信号を出力する制御ユニットと、
を備えることを特徴とする、電子機器。
【請求項９】
第１の導線と、第２の導線とを更に備えており、該第１の導線及び該第２の導線はそれぞれ、前記第１の電極及び前記第２の電極によって前記検出素子に電気的に接続していることを特徴とする、請求項８に記載の電子機器。
【請求項１０】
メモリーを更に備えており、該メモリーは、前記制御信号に基づいて、累計回数、時間、電流値、抵抗値、電圧値及び圧力値の少なくとも１つを記録することを特徴とする、請求項８又は９に記載の電子機器。
【考案の詳細な説明】
【技術分野】
【０００１】
本考案は、電子伝送モジュール及び電子機器に関し、特に、異常を検出することができる電子伝送モジュール及び電子機器に関する。
【背景技術】
【０００２】
一般に、電子機器に異物があると、例えば液体がしみ込むと、電子機器の故障が起こる。このため、従来、電子機器は、ゴムパッキンを用いて液体が電子機器内部に入るのを防止している。
【考案の概要】
【考案が解決しようとする課題】
【０００３】
しかし、ゴムパッキンが経年変化するか、又は品質が悪い場合には、液体が電子機器内部へ入ることがある。この場合、使用者は通常知りようがなく、リスクを低減させ、ダメージを補いようもなく、電子機器を修理に出してからしか、電子機器の故障原因がわからない。
これに鑑みて、本考案は、電子伝送モジュール及び電子機器を提供することを目的とする。
【課題を解決するための手段】
【０００４】
本考案の一実施の形態によると、電子伝送モジュールが提供される。電子伝送モジュールは、ベースと、検出素子と、カバー板とを備える。ベースは収容溝を有する。検出素子はベースの収容溝内に設けられる。カバー板は収容溝を閉塞又は露出させる。検出素子は、基板と、基板に形成された第１の電極及び第２の電極とを有しており、第１の電極と第２の電極との間には電位差がある。
【０００５】
本考案の別の実施の形態によると、電子伝送モジュールが提供される。電子伝送モジュールは、ベースと、検出素子と、回路板とを備える。検出素子は、ベースに設けられるとともに、回路板に電気的に接続される。検出素子は、基板と、基板に形成された第１の電極及び第２の電極とを有しており、第１の電極と第２の電極との間には電位差がある。
【０００６】
本考案の別の実施の形態によると、電子機器が提供される。電子機器は、電子伝送モジュールと、制御ユニットとを備える。電子伝送モジュールは、ベースと、検出素子と、カバー板とを備える。ベースは収容溝を有する。検出素子はベースの収容溝内に設けられる。カバー板は収容溝を閉塞又は露出させる。検出素子は、基板と、基板に形成された第１の電極及び第２の電極とを有しており、第１の電極と第２の電極との間には電位差がある。制御ユニットは検出素子の異常信号に基づいて保護機構を始動する。
【０００７】
本考案の別の実施の形態によると、電子機器が提供される。電子機器は、電子伝送モジュールと、制御ユニットとを備える。電子伝送モジュールは、ベースと、検出素子と、回路板とを備える。検出素子は、ベースに設けられるとともに、回路板に電気的に接続される。検出素子は、基板と、基板に形成された第１の電極及び第２の電極とを有しており、第１の電極と第２の電極との間には電位差がある。制御ユニットは検出素子の異常信号に基づいて保護機構を始動する。
【考案の効果】
【０００８】
本考案は、第１の電極の少なくとも一部及び／又は第２の電極の少なくとも一部が隣り合って配置されるとともに、基板の上面に位置するか、又は基板の上面から露出している限り、電子伝送モジュールに入り込んだ導電性の異物を検出することができる。
以下、図面及び具体的な実施形態を参照しながら、本考案を詳細に説明するが、本考案を限定するものではない。
【図面の簡単な説明】
【０００９】
【図１Ａ】本考案の一実施形態に係る電子伝送モジュールの分解図である。
【図１Ｂ】電子伝送モジュールの断面図である。
【図２】検出素子の平面図である。
【図３】接着層と、第１の導線と、第２の導線と、検出素子とをベースの第２の収容溝に収容した一部立面図である。
【図４】本考案の別の実施形態に係る検出素子の平面図である。
【図５】本考案の別の実施形態に係る検出素子の平面図である。
【図６】本考案の別の実施形態に係る検出素子の平面図である。
【図７】本考案の別の実施形態に係る検出素子の平面図である。
【考案を実施するための形態】
【００１０】
以下、図面を参照しながら、本考案の構成原理及び動作原理を具体的に説明する。
【００１１】
図１Ａ及び図１Ｂを参照されたい。図１Ａは本考案の一実施形態に係る電子伝送モジュール１００の分解図であり、図１Ｂは電子伝送モジュール１００の断面図である。
【００１２】
電子伝送モジュール１００は、機器（図示しない）において、機器の一部として、又は機器の付属品として内蔵可能になっており、外部と電気信号を伝送するものである。なお、電子伝送モジュール１００は、電池充放電モジュール又は電気信号伝送ポートとすることができる。具体的には、機器には、移動通信機器、写真機、撮影機、タブレットＰＣ、ノート型ＰＣ、又は外部と伝送の必要な他の機器が含まれるが、これらに限らない。
【００１３】
電子伝送モジュール１００は、主に、ベース１１０と、接着層１２０と、第１の導線１３１と、第２の導線１３２と、回路板１４０と、コネクター１５０と、ゴムパッキン１６０と、カバー板１７０と、検出素子１８０と、制御ユニット１９０とを備えることができる。
【００１４】
別の実施形態では、電子伝送モジュール１００は、主な構成部材として、ベース１１０と、カバー板１７０と、検出素子１８０とを備えることができる。別の実施形態では、電子伝送モジュール１００は、主な構成部材として、ベース１１０と、回路板１４０と、検出素子１８０とを備えることができる。また、更に別の実施形態では、電子伝送モジュール１００は、主な構成部材として、検出素子１８０と、回路板１４０とを備えることができる。本考案の実施形態に係る電子伝送モジュール１００の構造は図１Ａ及び図１Ｂに限定されるものではない。
【００１５】
ベース１１０は、本体１１１と、隔壁１１２と、第１の収容溝１１０ｒ１と、第２の収容溝１１０ｒ２と、第１の貫通孔１１０ａ１と、第２の貫通孔１１０ａ２とを有しており、本体１１１は、略第１の収容溝１１０ｒ１により収容空間が形成されている。具体的には、第１の収容溝１１０ｒ１は、本体１１１の上面１１１ｕから下面１１１ｂ方向へ延伸しているが、本体１１１を貫通していない。第２の収容溝１１０ｒ２は、第１の収容溝１１０ｒ１の溝底面１１０ｂ１から下面１１１ｂ方向に延伸しているが、本体１１１を貫通していない。第１の貫通孔１１０ａ１は第２の収容溝１１０ｒ２の溝底面１１０ｂ２から本体１１１の下面１１１ｂまで貫通している。第２の貫通孔１１０ａ２は隔壁１１２の上面１１２ｕから本体１１１の下面１１１ｂまで貫通している。隔壁１１２は第１の収容溝１１０ｒ１の溝底面１１０ｂ１から本体１１１の上面１１１ｕ方向に延伸している。
【００１６】
接着層１２０は、第２の収容溝１１０ｒ２の溝底面１１０ｂ２と検出素子１８０との間に設けることができる。一実施形態では、接着層１２０は両面接着テープとすることができる。
【００１７】
接着層１２０は通孔１２０ａが設けられている。第１の導線１３１の一端（明示しない）が第１の貫通孔１１０ａ１と接着層１２０の通孔１２０ａとに挿通されるとともに、検出素子１８０に接続され、第１の導線１３１の他端（図示しない）が回路板１４０に接続されることによって、検出素子１８０と回路板１４０とに電気的に接続されている。同様に、第２の導線１３２も第１の貫通孔１１０ａ１と接着層１２０の通孔１２０ａとに挿通され、検出素子１８０と回路板１４０とに電気的に接続されている。
【００１８】
コネクター１５０は、複数の脚１５１を有しており、脚１５１を挿入することによって回路板１４０に固定されることができる。図１Ｂに示すように、コネクター１５０の一部が第２の貫通孔１１０ａ２と隔壁１１２内とに収容されることができる。なお、コネクター１５０は、ユニバーサルシリアルバス（ＵＳＢ：Universal Serial Bus）コネクター、高精細度マルチメディアインターフェース（ＨＤＭＩ(登録商標)：High Definition Multimedia Interface）、電源インタフェース、又は他の種類のネットワークコネクター、オーディオコネクター若しくはビデオコネクターとすることができるが、これらに限らない。
【００１９】
図１Ｂに示すように、ゴムパッキン１６０は第１の収容溝１１０ｒ１内に設けられており、第１の収容溝１１０ｒ１の溝底面１１０ｂ１の外周に沿って設けることができる。カバー板１７０がベース１１０の第１の収容溝１１０ｒ１を覆っている場合には、ゴムパッキン１６０がカバー板１７０のリング状凹部１７０ｒ内に位置し、リング状凹部１７０ｒの壁面１７０ｓがゴムパッキン１６０に当接して、ゴムパッキン１６０と壁面１７０ｓとの間をより密接にすることができる。
【００２０】
具体的には、カバー板１７０は、一端部（明示しない）によってベース１１０に直接的に連結されるか、接続部材（図示しない）によってベース１１０に間接的に連結されるか、又はベース１１０とは別に存在しており、使用者がベース１１０の第１の収容溝１１０ｒ１を選択的に閉塞又は露出させることができる。カバー板１７０が第１の収容溝１１０ｒ１を閉塞させると、第１の収容溝１１０ｒ１を密閉して、異物がベース１１０内に容易にしみ込むか、又は落ち込まないようにすることができる。カバー板１７０がベース１１０から離れると、コネクター１５０が露出して、外部コネクター（図示しない）が第２の貫通孔１１０ａ２を介してコネクター１５０に電気的に接続するようにすることができる。
図１Ｂに示すように、検出素子１８０はベース１１０の第２の収容溝１１０ｒ２内に設けられる。
【００２１】
図２は検出素子１８０の断面図である。検出素子１８０は、基板１８１と、第１の電極１８２及び第２の電極１８３とを有している。第１の電極１８２及び第２の電極１８３は基板１８１の上面１８１ｕに形成されるか、又は基板１８１に形成されるとともに基板１８１の上面１８１ｕから露出している。
【００２２】
第１の電極１８２と第２の電極１８３との間には電位差があり、電位差は０．５Ｖ（Voltage）〜３．５Ｖとすることができる。一実施形態では、第１の電極１８２と第２の電極１８３とは互いに異なる極性を有することができる。言い換えると、第１の電極１８２を正極又は負極とすると、第２の電極１８３は負極又は正極となる。これにより、導電性を有する異物が第１の電極１８２と第２の電極１８３とに同時に接すると、第１の電極１８２と第２の電極１８３との間の電位差が変化してシフト量が生じ、例えば第１の電極１８２と第２の電極１８３との間に短絡現象が生じ、電位差が０付近になる。この際、電位差のシフト量は比較的大きくなる。制御ユニット１９０は、電位差のシフト量が許容可能な所定の値以上であることを検知した後、さらに、所定のモードにより保護機構を始動することができる。なお、導電性を有する異物は金属混合物、金属化合物、又は鉱物質及び／又はイオンを含む液体とすることができる。電位差のシフト量は２．５Ｖ〜５．０Ｖになる可能性がある。
【００２３】
別の実施形態では、導電性を有する異物が第１の電極１８２と第２の電極１８３とに同時に接すると、第１の電極１８２と第２の電極１８３との間の電位差が減少する。例えば、電位差が２．５Ｖ以下である場合には、短絡現象であると判断することができる。一方、短絡現象が生じた場合にも、電位差は０付近になる可能性がある。制御ユニット１９０は、電位差が許容可能な所定の値より大きいことを検知した後、所定のモードにより保護機構を始動することができる。一実施形態では、所定の値を２．５Ｖとすることができる。すなわち、電位差が２．５Ｖの所定の値以下である場合、短絡が生じたと判断し、さらに、保護機構を始動する。
【００２４】
具体的には、保護機構には、機器の電源を自動的に切ること、又は異常信号のデータをメモリー（図示しない）に記録することが含まれるが、これらに限らない。なお、異常信号のデータは、電位差のシフト量、異常の累計発生回数、又は異常発生毎の時間、電流値、抵抗値、電圧値及び／又は圧力値とすることができる。さらに、異常発生時の圧力値を記録する場合には、機器は水圧及び／又は気圧を検知するように圧力計を更に備えることができる。また、メモリーは制御ユニット１９０と一体とするか、又は制御ユニット１９０とは別体とすることができ、制御ユニット１９０はデジタルシグナルプロセッサー（ＤＳＰ：digital signal processor）とすることができる。
【００２５】
さらに、図２に示すように、第１の電極１８２は第１の主電極１８２１と、複数の第１の分岐電極１８２２とを有しており、第１の主電極１８２１は基板１８１の中心領域から外側へ径方向に基板１８１の上面１８１ｕの外縁まで延伸し、第１の分岐電極１８２２は第１の主電極１８２１から同心状に囲んで延伸するように配置されている。本実施形態を例とすると、基板１８１は円形の基板であり、このため、第１の分岐電極１８２２は半円形の輪郭線で延伸している。なお、これらの第１の分岐電極１８２２のうちの少なくとも２つは同心円状に延伸するように配置されている。
【００２６】
また、本実施例では、第１の電極１８２は複数の第１の分岐電極１８２２と、１つ又は複数の第１の主電極１８２１とを有することができる。図２に示すように、第１の電極１８２は複数の第１の分岐電極１８２２と、１つの第１の主電極１８２１とを有している。本実施形態の理解を容易にするために、図２では第１の分岐電極１８２２を９つ図示しているが、本考案を限定するものではない。
【００２７】
同様に、第２の電極１８３の構成は第１の電極１８２と同様である。第２の電極１８３は少なくとも１つの第２の主電極１８３１と、複数の第２の分岐電極１８３２とを有している。なお、第１の電極１８２と第２の電極１８３とは検出素子１８０の基板１８１において１８０度相対する位置で設けられている。言い換えると、第２の電極１８３の第２の主電極１８３１と第１の電極１８２の第１の主電極１８２１とは同一の直線方向に存在しており、第２の電極１８３の複数の第２の分岐電極１８３２と第１の電極１８２の複数の第１の分岐電極１８２２とが互い違いに配列されている。
【００２８】
具体的には、いずれか１つの第１の分岐電極１８２２が、隣り合う２つの第２の分岐電極１８３２の間に位置することができるか、又はいずれか１つの第２の分岐電極１８３２が、隣り合う２つの第１の分岐電極１８２２の間に位置することができる。このように、導電性を有する異物が、隣り合う第１の分岐電極１８２２と第２の分岐電極１８３２とに同時に接触すると、短絡現象が生ずる。
【００２９】
図２に示すように、隣り合う第１の分岐電極１８２２と第２の分岐電極１８３２とのピッチＨ１は、０．０５ｍｍ〜０．１５ｍｍとすることができる。さらに、隣り合う第１の分岐電極１８２２と第２の分岐電極１８３２とは、同じピッチで配置してもよく、異なるピッチで配置してもよい。また、第１の主電極１８２１の幅、第１の分岐電極１８２２の幅、第２の主電極１８３１の幅及び第２の分岐電極１８３２の幅はそれぞれ、０．０５ｍｍ〜０．１５ｍｍとすることができる。
【００３０】
また、複数の第１の分岐電極１８２２は分岐電極１８２２’を有し、第２の分岐電極１８３２は分岐電極１８３２’を有しており、分岐電極１８２２’と分岐電極１８３２’とは隣り合って配置されるとともに、基板１８１の上面１８１ｕの外縁に位置している。
【００３１】
同様に、複数の第１の分岐電極１８２２は分岐電極１８２２’’を有し、第２の分岐電極１８３２は分岐電極１８３２’’を有しており、分岐電極１８２２’’と分岐電極１８３２’’とは隣り合って配置されるとともに、基板１８１の上面１８１ｕの外縁に位置している。
【００３２】
また、分岐電極１８２２’と分岐電極１８３２’とは基板１８１の第１の主電極１８２１及び第２の主電極１８３１の第１の側（例えば上半分）に位置し、分岐電極１８２２’’と分岐電極１８３２’’とは基板１８１の第１の主電極１８２１及び第２の主電極１８３１の第２の側（例えば下半分）に位置しており、第１の側と第２の側とは相対している。
【００３３】
図３は接着層１２０と、第１の導線１３１と、第２の導線１３２と、検出素子１８０とをベース１１０の第２の収容溝１１０ｒ２に収容した一部立面図である。第１の導線１３１及び第２の導線１３２はそれぞれ導体１３１１と、被覆層１３１２とを有しており、被覆層１３１２は導体１３１１を覆っているが、導体１３１１の一端１３１３を露出させている。検出素子１８０の基板１８１は複数のはんだ点１８４と、第１の通孔１８１ａ１と、第２の通孔１８１ａ２とを有しており、第１の通孔１８１ａ１は基板１８１と第１の電極１８２とを貫通し、第２の通孔１８１ａ２は基板１８１と第２の電極１８３とを貫通している。具体的には、第１の通孔１８１ａ１は基板１８１と第１の電極１８２の第１の主電極１８２１とを貫通し、第２の通孔１８１ａ２は基板１８１と第２の電極１８３の第２の主電極１８３１とを貫通しているが、本考案を限定するものではない。一方、第１の導線１３１の一端１３１３は第１の通孔１８１ａ１を貫通するとともに、対応するはんだ点１８４を通じて第１の電極１８２に電気的に接続し、第２の導線１３２の一端１３１３は第２の通孔１８１ａ２を貫通するとともに、対応するはんだ点１８４を通じて第２の電極１８３に電気的に接続している。
【００３４】
図３に示すように、第１の主電極１８２１及び第２の主電極１８３１が基板１８１の中央領域付近まで延伸しているので、第１の通孔１８１ａ１及び第２の通孔１８１ａ２が基板１８１の中央領域において第１の主電極１８２１及び第２の主電極１８３１を貫通することができるようになっている。このように、第１の貫通孔１１０ａ１の内径を小さくすることができ、相対的に第２の収容溝１１０ｒ２の溝底面１１０ｂ２の面積を大きくすることができ、検出素子１８０がより安定的に溝底面１１０ｂ２に設けられるようになっている。
【００３５】
図４は本考案の別の実施形態に係る検出素子２８０の平面図である。検出素子２８０は基板１８１と、複数の第１の電極１８２及び第２の電極１８３とを有している。
【００３６】
上記検出素子１８０とは、本実施形態の検出素子２８０の各第１の電極１８２が基板１８１の中心から外側へ放射状に第２の電極１８３付近まで延伸している点で異なっている。第２の電極１８３は環状の電極であり、本実施形態では、第２の電極１８３は、閉環状構造を採用しており、基板１８１の上面１８１ｕの外縁に位置するとともに、第１の電極１８２を全て取り囲んでいる。閉環状の設計によって、液体がいずれの方向から入っても第１の電極１８２と第２の電極１８３とに接触する機会が多くなるが、本考案を限定するものではなく、第２の電極１８３が開環状の電極であってもよい。
【００３７】
導電性を有する異物が鉱物質及び／又はイオンを含む液体である場合、鉱物質及び／又はイオンを含む液体は他のところから検出素子１８０の外周に流れる。したがって、第１の電極１８２の端面１８２ｅが第２の電極１８３の内側面１８３ｓに近接していることによって、第１の電極１８２と第２の電極１８３とが短絡する。なお、第１の電極１８２の端面１８２ｅと第２の電極１８３の内側面１８３ｓとの間のピッチＨ２の範囲は検出素子１８０のピッチＨ１の範囲と同様であり、説明は省略する。
【００３８】
また、隣り合う第１の電極１８２の間の最大ピッチＨ３はピッチＨ２の５倍〜１０倍とすることができる。すなわち、その範囲は０．２５ｍｍ〜１．５ｍｍとすることができる。
【００３９】
また、第２の電極１８３は第２の主電極１８３１と、第２の分岐電極１８３２とを有しており、第２の主電極１８３１は環状の電極であり、第２の分岐電極１８３２は第２の主電極１８３１から内側へ径方向に延伸している。第２の通孔１８１ａ２は第２の主電極１８３１の端部に位置し、基板１８１の上面１８１ｕの外縁から離れている。
【００４０】
図３と図４とを同時に比較されたい。このように、液体がはんだ点１８４と、第１の導線１３１及び／又は第２の導線１３２とを汚染する確率を引き下げることができ、さらには、鉱物質及び／又はイオンを含む液体がはんだ点１８４と、第１の導線１３１及び／又は第２の導線１３２とを腐食しないようにすることができる。
図５は本考案の別の実施形態に係る検出素子３８０の平面図である。検出素子３８０は基板１８１と、第１の電極１８２及び第２の電極１８３とを有している。
【００４１】
上記検出素子１８０及び上記検出素子２８０とは、本実施形態の検出素子３８０の第１の電極１８２及び第２の電極１８３がいずれも環状の電極を有している点で異なっているおり、環状の電極は閉環状の電極であっても、開環状の電極であってもよい。
【００４２】
具体的には、第１の電極１８２は第１の主電極１８２１と、第１の分岐電極１８２２とを有しており、第１の主電極１８２１は環状の電極である。本実施形態では、第１の主電極１８２１が閉環状の電極であることを例とする。第１の分岐電極１８２２は第１の主電極１８２１から内側へ径方向に延伸している。第１の通孔１８１ａ１は第１の分岐電極１８２２の端部に位置しているので、基板１８１の上面１８１ｕの外縁とは距離が離れている。
【００４３】
同様に、第２の電極１８３は第２の主電極１８３１と、第２の分岐電極１８３２とを有しており、第２の主電極１８３１は環状の電極である。本実施形態では、第２の主電極１８３１が開環状の電極であることを例として説明する。第２の分岐電極１８３２は第２の主電極１８３１から内側へ径方向に延伸している。第２の通孔１８１ａ２は第２の分岐電極１８３２の端部に位置しているので、基板１８１の上面１８１ｕの外縁とは距離が離れている。
【００４４】
図３と図５とを同時に比較されたい。具体的には、第１の電極１８２の第１の主電極１８２１と第２の電極１８３の第２の主電極１８３１とがいずれも基板１８１の上面１８１ｕの外縁に位置している。また、第１の電極１８２と第２の電極１８３との間のピッチＨ４の範囲は検出素子１８０のピッチＨ１の範囲と同様である。
【００４５】
図６は本考案の別の実施形態に係る検出素子の平面図である。検出素子４８０は基板１８１と、第１の電極１８２及び第２の電極１８３とを有している。本実施形態では、基板１８１は矩形の基板であるが、ベース１１０の第２の収容溝１１０ｒ２は円形の収容溝として設けてもよく、矩形の基板１８１に合わせて矩形の収容溝として設けてもよい。第１の電極１８２と第２の電極１８３とはそれぞれ矩形の輪郭線で同心状に延伸するように互い違いに配列することができる。例示すると、第１の電極１８２は第１の主電極１８２１と、複数の第１の分岐電極１８２２とを有しており、これらの第１の分岐電極１８２２は第１の主電極１８２１から延伸している。第１の分岐電極１８２２は基板１８１の輪郭に沿って同心状に延伸するように配置されているので、第１の分岐電極１８２２は同心状に延伸するように矩形の輪郭線に沿って配置されている。同様に、第２の電極１８３は第２の主電極１８３１と、複数の第２の分岐電極１８３２とを有し、これらの第２の分岐電極１８３２は第２の主電極１８３１から延伸するとともに、同様に矩形の輪郭線で同心状に延伸するように配置されている。
【００４６】
図７は本考案の別の実施形態に係る検出素子の平面図である。検出素子５８０は基板１８１と、第１の電極１８２及び第２の電極１８３とを有している。本実施形態では、基板１８１が円形の基板である。第１の電極１８２及び第２の電極１８３の延伸方式は図６に示す延伸方式と同様であるので、説明は省略する。
【００４７】
以上から分かるように、本考案の実施形態は第１の電極１８２及び第２の電極１８３のパターン、数及び／又はサイズを限定するものではなく、第１の電極１８２の少なくとも一部及び／又は第２の電極１８３の少なくとも一部が隣り合って配置されるとともに、基板１８１の上面１８１ｕの外縁に位置している限り、導電性を有する異物を検出することができる。
【００４８】
当然ながら、本考案は他の様々な実施形態を更に有することができ、本考案の精神及びその本質を逸脱しない限り、当業者は本考案に基づいて相応する様々な変更及び変形を実施することができ、これらの相応する変更及び変形はいずれも本考案の請求の範囲に含まれる。
【符号の説明】
【００４９】
１００  電子伝送モジュール
１１０  ベース
１１１  本体
１１１ｕ、１１２ｕ、１８１ｕ  上面
１１１ｂ  下面
１１２  隔壁
１１０ｒ１  第１の収容溝
１１０ｒ２  第２の収容溝
１１０ａ１  第１の貫通孔
１１０ａ２  第２の貫通孔
１１０ｂ１、１１０ｂ２  溝底面
１２０  接着層
１２０ａ  通孔
１３１  第１の導線
１３２  第２の導線
１３１１  導体
１３１２  被覆層
１３１３  一端
１４０  回路板
１５０  コネクター
１５１  脚
１６０  ゴムパッキン
１７０  カバー板
１７０ｒ  リング状凹部
１７０ｓ  壁面
１８０、２８０、３８０、４８０、５８０  検出素子
１８１  基板
１８１ａ１  第１の通孔
１８１ａ２  第２の通孔
１８２  第１の電極
１８２１  第１の主電極
１８２２  第１の分岐電極
１８２２’、１８２２’’、１８３２’、１８３２’’  分岐電極
１８３  第２の電極
１８３１  第２の主電極
１８３２  第２の分岐電極
１８４  はんだ点
１９０  制御ユニット
１８２ｅ  端面
１８３ｓ  内側面
Ｈ１、Ｈ２、Ｈ３、Ｈ４  ピッチ
３’  一部
【図１Ａ】
0003200574.tif 000003
【図１Ｂ】
0003200574.tif 000004
【図２】
0003200574.tif 000005
【図３】
0003200574.tif 000006
【図４】
0003200574.tif 000007
【図５】
0003200574.tif 000008
【図６】
0003200574.tif 000009
【図７】
0003200574.tif 000010